(57)【要約】巻取りの方向に付勢された、軸（２）の回りに回転する巻胴（３）を含むケーシング（１）を備える巻取り式引き紐。この巻胴（３）は、少なくとも一つの掛金（５）を有し、この掛金は引き紐（４）が繰出される時、自動的に掛金止め具（８）に向かって外側に延伸する。この掛金止め具（８）は、手動で操作されたボタン（１４）によって、延伸した掛金（５）の進行方向から後退させることができる。掛金（５）は、巻胴（３）の端面上に、旋回可能に配置されている。掛金（５）を回すために巻胴（３）と共に回転する回転アクチュエータ（１９）があるが、巻胴と比較して回転が制限されており、および巻胴（３）に対して回転アクチュエータの空き隙間を通過した後に、回転アクチュエータに同期させるために２つの止めを有し、およびこの回転アクチュエータは巻胴（３）に対して回転する場合、掛金（５）を延伸および後退させる手段を特徴とする。回転アクチュエータの回転運動を妨げるために、少なくとも一つの磁石が、ケーシング（１）と回転アクチュエータの間に配置されている。
2007504819.tif 000002
【特許請求の範囲】
【請求項１】
軸（２）を支点に回転し、巻取りの方向に付勢された巻胴であって、少なくとも１つの、引き紐（４）が繰出される時自動的に延伸する外側に動く掛金（５）と、延伸された掛金（５）の進行方向に突き出ており手動で操作されたボタン（１４）によって延伸された掛金（５）の進行方向から後退させることができる掛金止め具（８）と、を有するロック機構へ接続された巻胴を含むケーシング（１）を備える、ペット用の、主に犬用の巻取り式引き紐であって、前記掛金（５）は、前記巻胴（３）の端面に旋回可能に配置され、および前記掛金（５）を回すために回転アクチュエータ（１９）が前記巻胴（３）と共に回転するがそれと比較して回転が制限され、前記巻胴（３）が、空き隙間を通過した後に前記回転アクチュエータ（１９）に同期させるために２つの止めを有し、および前記巻胴（３）に対して回転する場合前記回転アクチュエータが前記掛金（５）を延伸および後退させる手段を特徴とし、および、前記回転アクチュエータ（１９）の前記回転運動を妨げるために少なくとも一つの磁石が前記ケーシング（１）と前記回転アクチュエータ（１９）の間に配置されることを特徴とする巻取り式引き紐。
【請求項２】
前記磁石は、前記ケーシングに対して軸方向に向けられる力を発生させるために、前記回転アクチュエータに搭載されていることを特徴とする請求項１に記載の巻取り式引き紐。
【請求項３】
前記掛金（５）を延伸および後退させる前記手段は、反対の極性を有する２つの磁石（２４，２５）から成り、前記回転アクチュエータ（１９）の回転の方向に交互に配置される２つおよび前記掛金（５）内の磁石（２３）によって表され、その結果、休止位置で前記掛金（５）は前記回転アクチュエータ（１９）の前記第１の磁石（２４）によって引きつけられ、前記引き紐が繰出される時、前記掛金が前記回転アクチュエータ（１９）の前記第２の磁石（２５）によって押し出されることを特徴とする請求項１または２に記載の巻取り式引き紐。
【請求項４】
前記回転アクチュエータ（１９）内の前記磁石（２４、２５、２７）は、同時に、前記ケーシング（１）内で前記磁石（２４、２５、２７）の反対側に配置された鉄リング（２８）によって前記ケーシング（１）に対して軸方向に向けられる力を発生させるために働くことを特徴とする前記いずれかの請求項の少なくとも１つに記載の巻き取り式引き紐。
【請求項５】
前記掛金（５）を延伸および後退させるための前記手段は、前記回転アクチュエータ（１９）の外側に対向するアーム（２９、３０、３１）および前記アームの方へ動かす前記掛金（５）上の傾斜面（３４）によって表されることを特徴とする前記いずれかの請求項の少なくとも１つに記載の巻き取り式引き紐。
【請求項６】
前記回転アクチュエータ（１９）は、前記掛金（５）が後退する時に前記掛金（５）上で半径方向にラッチする拘束フック（３５）を有することを特徴とする前記いずれかの請求項の少なくとも１つに記載の巻き取り式引き紐。
【請求項７】
前記掛金止め具（８）を前記ケーシング（１）に押し込められたその位置からはずすための前記ボタン（１４）は、つめ突起（１５）がケーシング止め（１６）の下になるように前記ボタン（１４）の後退の方向に対して横方向に可動であることを特徴とする前記いずれかの請求項の少なくとも１つに記載の巻き取り式引き紐。
【請求項８】
前記ボタン（１４）を前記ケーシング止め（１６）から離れるように付勢させる単一アームレバー（１３）の端部に対向して前記ボタン（１４）が位置し、かつ前記単一アームレバー（１３）は同時に、他方のレバーアーム（１１）が前記可動性の掛金止め具（８）に係合する２アームレバー（１０）の一方のレバーアーム（１２）に対向して位置することを特徴とする請求項７に記載の巻取り式引き紐。
【発明の詳細な説明】
【技術分野】
【０００１】
本発明は、ペット用、主に犬用の巻取り式引き紐に関し、軸の回りに回転し、かつ巻取りの方向に付勢する巻胴であって、引き紐が繰出される時自動的に延伸し、かつ延伸された掛金の進行方向に突出する少なくとも一つの外側に動く掛金と、手動で操作されたボタンによって、延伸された掛金の動程の方向から後ろに後退させることができる掛金止め具と、を有するロック機構へ接続された巻胴、を含むケーシングを備える巻取り式引き紐に関する。
【背景技術】
【０００２】
このような巻取り式引き紐は、欧州特許ＥＰ−Ｂ１−１２０４３１２号の主題である。この文書に記述された巻取り式引き紐は、引き紐が、ボタンの起動なしで繰出しの方向にはロックするが、巻取りの方向には常に自由に動くことができるように設計されている。
【０００３】
これは、飼主が犬により多くの動作の自由を与えることを望み、したがって巻取り方向および繰出し方向の両方に引き紐を開放するボタンを押す場合に、引き紐が繰出された時のみ、引き紐を付けた犬がその飼主から離れることができることを意味する。このようにして機能させるために、公知の延伸式犬引き紐は、この噛合せにおいて係合する歯付の巻胴および歯車を必要とする。この歯車の軸は、ケーシングに対して動かせる案内部に固定されており、歯車がケーシングに固定された止め具の下に位置することができ、掛金で巻胴をロックできる。
【０００４】
この種類のより簡単な機構は、内燃エンジン用コード式始動装置においてすでに一般的であり、それによって、始動コード引き紐は、始動コードが引っ張られる時に始動ベルとかみ合うが、エンジンが動き始めると離れる。従来技術の例としてドイツ特許ＤＥ−１４７６５１４号を参照する。この文書は、巻胴および制御プレートの両方を支える保持ボルトを記述する。クリップのようなばねが、ボルトと反対方向にあり、制御プレートを巻胴よりも回すのを難しくする。これは、制御プレートが、巻胴を軸に回転する旋回掛金を外側に回すことができ、したがって始動ベルにそれらを係合させることを意味する。
【０００５】
コード式始動装置に関しては、巻胴は、エンジンを始動するために数回転させなければならないだけである。一方、犬引き紐は最高８メートルの長さとなることがありえる。経験上、引き紐を付けた犬はまた常に動いており、それは、犬が走るにつれて、コードドラムは比較的高速度で常に回転しなければならないことを意味する。
【０００６】
ばねが制御プレートを制動するために使用された場合、これはボルトおよびばねを急速に摩耗させる。さらに、巻取り式引き紐が、通常コストを理由にプラスチックで作られることを前提にすると、ばねの摩擦によって発生する熱が、巻取り式引き紐を傷つける恐れがある。
【発明の開示】
【発明が解決しようとする課題】
【０００７】
本発明は、可能な限り最も簡単な構造を有し、かつ必要とされる限り確実に機能するように設計された、上述した種類の巻取り式引き紐によってこれらの問題を克服する。
【課題を解決するための手段】
【０００８】
本発明は、請求項１の特性を記述する部分に開示された特徴を有する巻取り式引き紐によって、既存の欠点を克服する。従属請求項は、本発明の有利な特徴を概説する。
【０００９】
この種の延伸式犬引き紐は、それがいかなる歯車も必要としないので、上述した特許ＥＰ−Ｂ１−１２０４３１２に記載のものよりもかなり簡単な構造を有する。それは、したがって、製作がより安く、お互いに係合または繰出しする歯車がなく、掛金が掛金の噛合せを通じて音をたてる必要がないので、犬引き紐を巻取り繰出しする時にいかなる騒音も全くたてない。上で評価した特許ＤＥ−１４７６５１４に従うコード式始動装置と比較して、本発明による巻取り式引き紐は、回転アクチュエータを制動するために機械的摩擦が必要とされないという利点を有し、これは摩滅がないことおよび望ましくない発熱がないことを意味する。
【００１０】
更なる実施態様において、巻取り式引き紐は、特に簡単な設計を有し、ここでケーシングの方へ向けられる軸方向の力を発生させるための磁石が回転アクチュエータに搭載されている。これによってまた、回転アクチュエータがケーシングに挿入されなければならないだけであり、かつ磁力のみによってその位置に保持されるので、組立がより容易になる。
【００１１】
掛金は、また、接触なしでそして摩擦および摩滅なしで、延伸および後退することができ、本願発明の別の実施態様によると掛金を延伸および後退させる手段は、反対の極性を持つ２つの磁石から成り、回転アクチュエータの回転の方向に交互に配置され、および掛金内の磁石は、そのため、静止位置にある場合、掛金は回転アクチュエータの第１の磁石によって引きつけられ、引き紐を繰出す場合、掛金は回転アクチュエータの第２の磁石によって外に押し出される。
【００１２】
磁石の反対側のケーシングに位置する金属リングによって回転アクチュエータの磁石が同時にケーシングに対して軸方向に向けられた極性の力を発生させるために働く場合、同じ磁石が掛金の延伸および後退、および回転アクチュエータの制動に使用されることができる。
【００１３】
機械的手段を使用して掛金を延伸および後退させることもまた、可能である。この場合掛金を延伸および後退させる手段は、回転アクチュエータ上の外向きのアームおよびアームの方へ動く掛金上の傾斜面から成る。
【００１４】
犬引き紐の巻取りの時に巻胴が高速で回転する場合、掛金は、遠心力のために外側に回る傾向がある。その場合それは、巻胴をブロックしないが、むしろ手動で操作された掛金止め具上を滑り、およびしたがって、望ましくない騒音を引き起こす。これは、本発明の別のさらなる実施態様によって容易に防止でき、それによって、回転アクチュエータは、掛金が後退する時に掛金上で半径方向にラッチする拘束フックを有する。
【００１５】
犬引き紐を開放するボタンは、停止用ボタンがその位置からケーシングに押し込まれ、つめ突起がケーシング止めの下になるようにボタンの後退方向に対して横に移動可能な場合、犬引き紐の全長によって決められた自由を犬に与えるために利用者が常にそれを押さえ続ける必要が無いように開放位置でロックできる。
【００１６】
ボタンをケーシング止めから離すように付勢させる単一アームレバーの端部に対向してボタンが位置する場合、および単一アームレバーが同時に、２アームレバーの一方のレバーアームに対向して位置し、もう一方のレバーアームが可動の掛金止め具と係合する場合、それは特に有利である。この種の設計によって、ボタンはそのつめ突起と共にケーシング止めから離れる傾向がある。したがって利用者が、その押し下げたロック位置に、それを軽くたたくだけで、そのときそれは、ケーシング止めから開放されておよび完全にその延伸位置に到達することができる。
【発明を実施するための最良の形態】
【００１７】
本発明は、様々な実施態様を可能にする。その基本的原理を説明するために、これらのうち二つが、図面において示され、および以下に記載されている。
【００１８】
図１に示すように、本発明による巻取り式引き紐は巻胴３を含む実質的に円筒状のケーシング１を有し、軸２のまわりに回転して引き紐４の巻取りおよび繰出しができる。図１の右側領域で、ケーシング１は図面では切り落とされた一体成形されたグリップ１７を有する。巻胴３の一方の側に、例えば、３つの掛金があり、そのうちただ１つの掛金５だけが描かれており、巻胴３上に設けられた旋回軸６を回転可能に保つ。各掛金５は、ここに描かれた掛金５の外へ旋回した位置において、掛金止め具８に対向して位置するカム７を有している。掛金止め具８は、それがケーシング１において半径方向に可動であり、かつ巻胴３の方向に圧縮ばね９によって付勢するように配置されている。
【００１９】
２アームレバー１０は、ばね９の力と反対方向に掛金止め具８を動かす役割を果たす。これは掛金止め具８に係合するレバーアーム１１および単一アームレバー１３の下に係合するレバーアーム１２を有する。
【００２０】
単一アームレバー１３を回すためにボタン１４が使用され、それはこのために、ケーシング１のグリップ１７に入り込ませることができる。ボタン１４は、つめ突起１５を有し、それは、ボタン１４が図１に示すように押し下げられて左の位置に動かされた時、図２に示されるケーシング止め１６にラッチすることができる。
【００２１】
図２に示すように、ボタン１４はそのつめ突起１５とともに、ケーシング止め１６に載っている。これは、レバーアーム１１が掛金止め具８を掛金５の進行方向から外側に押し出させ、それは、巻胴３がその時両方の回転方向に自由に回転することができることを意味する。
【００２２】
図３は、巻胴３をその回りに巻取られる引き紐４と共に示す。また、巻胴３を巻取りの方向に付勢させるコイルばね１８の図もある。
【００２３】
巻胴３の左側に、掛金止め具８に対向して位置する掛金５が、はっきり見える。
【００２４】
図４は、レバー１３を回すことができるボタン１４のデザインを示す。
【００２５】
本発明による巻取り式引き紐の機能は、図５および図６において明らかである。図５は、軸２上の回転アクチュエータ１９が回転され、それが巻胴３の止め２１に対向して、ダボ穴２０と共にあることを示す。巻胴３は別の止め２２を有し、それは、巻胴３が回転アクチュエータ１９に対して逆時計回り方向に回転する時、反対側からダボ穴２０の所に至ることができる。掛金５内に磁石２３があり、図５に示す位置で、回転アクチュエータ１９の磁石２４に対向する位置にある。磁石２３，２４は、反対の極がお互いに対向するように磁化されている。これは磁石２３，２４がお互いに引き付けあうことを意味する。これは、掛金５をこの示された内側に旋回した位置に保持する。
【００２６】
巻胴３が回転アクチュエータ１９に対して逆時計回りに回転する場合、その時、磁石２３は第２の磁石２５経由で回転アクチュエータ１９に至る。この第２の磁石２５は、反発力が掛金５上に発揮されるように、同じ極が磁石２３，２５についてお互いに対向するように磁化されている。
【００２７】
図５は、引き紐４が巻取りする時の部品の位置を示す。一方図６は引き紐を付けた犬がその飼主から離れようとして、引き紐が繰出される場合の位置を示す。掛金５は、次いでそのカム７を図１，図２および図３に示される掛金止め具８に対向させて終わる。回転アクチュエータ１９と巻胴３の間の相対的な回転が、したがって、巻取り式引き紐の機能に必要とされる。これがどのように達成されるかは図７において見ることができる。
【００２８】
図７は、ケーシング１上に直接成形されている軸２を有するケーシング１を示す。巻胴３は、この軸２を支点に回転し、その一部として、掛金５を磁石２３と共に旋回可能に取り付けられた状態に保持する。回転アクチュエータ１９は、図７にその磁石２４が見え、また、ケーシング１のカラー２６を軸に回転する。回転アクチュエータ１９の磁石２４および他の磁石２７に軸方向に対向して、ケーシングに固定され、かつ回転アクチュエータ１９に同軸的に配置された鉄リング２８がある。磁石２４，２７および鉄リング２８は、カラー２６上での回転アクチュエータ１９のねじれを妨げる。
【００２９】
図８および図９による実施態様については、回転アクチュエータ１９は、３つの斜めに外へ向かうアーム２９、３０、３１を有する。これらのアーム２９、３０、３１は次にアーム２９に対して説明されるように、掛金のみぞ３２によって係合する。巻胴３が時計回りに回転する場合、アーム２９が図８に見られるみぞ３２の左縁部によって表される止め３３に対向して位置する。右側については、みぞ３２は傾斜面３４によって制限されている。
【００３０】
紐４が繰出される場合のように、巻胴３が逆時計回りに回転する場合、その時、この傾斜面３４はアーム２９に対向する。回転アクチュエータ１９は巻胴３より回すのが難しいので、図９に示すように、アーム２９は掛金５を外側に押し出し、それによって巻取り式引き紐をロックする。
【００３１】
図８および９は、また、アーム２９、３０、３１がそれらの自由端における拘束フック３５をそれぞれ特徴とし、それは、図８に示す犬引き紐８の巻取り位置において止め３３に係合し、したがって遠心力のため掛金５が外に出るのを防ぐことを示す。この種の拘束フック３５は、また、図１−７による実施態様に設けることもできる。
【００３２】
この発明に従う巻取り式引き紐は、また、他の目的、例えばコード式始動装置に使用され得ることに留意する必要がある。
【図面の簡単な説明】
【００３３】
【図１】ロック位置における本発明による巻取り式引き紐の主要な領域の断面図。
【図２】開放位置における巻取り式引き紐の上面領域の断面図。
【図３】図１と比較して９０°回転させた巻取り式引き紐の上半分の断面図。
【図４】犬引き紐をロックおよび開放するための巻取り式引き紐のボタンの領域の断面図。
【図５】隣接した部品がロック位置にある巻胴の図。
【図６】部品が開放位置にある巻胴の図。
【図７】巻胴領域における巻取り式引き紐の長手方向断面図。
【図８】隣接した部品がロック位置にある巻胴の第２の実施態様の図。
【図９】部品が開放位置にある図８による装置。
【符号の説明】
【００３４】
１  ケーシング
２  軸
３  巻胴
４  引き紐
５  掛金
６  旋回軸
７  カム
８  掛金止め具
９  圧縮ばね
１０  ２アームレバー
１１  レバーアーム
１２  レバーアーム
１０  単一アームレバー
１４  ボタン
１５  つめ突起
１６  ケーシング止め
１７  グリップ
１８  コイルばね
１９  回転アクチュエータ
２０  ダボ穴
２１  止め
２２  止め
２３  磁石
２４  磁石
２５  磁石
２６  カラー
２７  磁石
２８  鉄リング
２９  アーム
３０  アーム
３１  アーム
３２  みぞ
３３  止め
３４  傾斜面
３５  拘束フック
【図１】
2007504819.tif 000003
【図２】
2007504819.tif 000004
【図３】
2007504819.tif 000005
【図４】
2007504819.tif 000006
【図５】
2007504819.tif 000007
【図６】
2007504819.tif 000008
【図７】
2007504819.tif 000009
【図８】
2007504819.tif 000010
【図９】
2007504819.tif 000011
【国際調査報告】
2007504819.tif 000012
2007504819.tif 000013